(57)【特許請求の範囲】
【請求項１】
炊飯器本体と、前記炊飯器本体の上方に位置する蓋体と、前記炊飯器本体と前記蓋体との係合及び解除を行うロック機構と、前記炊飯器本体と前記蓋体との係合が解除されると前記蓋体を開蓋するヒンジ機構と、を有する炊飯器であって、
前記ロック機構は、前記炊飯器本体に設けられるとともに、押圧部を有する押圧部材及び前記蓋体と係合する係止部を有するロック部材を有し、
前記押圧部材は、水平方向に移動し、所定距離移動後、前記ロック部材に当接し、当接後、前記ロック部材と共に回動し、前記炊飯器本体と前記蓋体との係合を解除することを特徴とする炊飯器。  
【発明の詳細な説明】
【技術分野】
【０００１】
本発明は、特に炊飯器本体側に設けたロック機構の構造に関するものである。
【背景技術】
【０００２】
一般に炊飯器は、誘導コイル、保温ヒータ及び蓋ヒータ等の複数個の加熱手段を有し、これら加熱手段を駆使して自動的に炊飯及び保温を行いユーザーに最適なご飯等を提供する器具として広く知られている。
【０００３】
そして、炊飯器には、ヒンジ機構及びロック機構が設けられ、ロック機構を操作して炊飯器本体と蓋体との係合を解除し、ヒンジ機構に設けられるスプリングにより蓋体を開蓋する。
【０００４】
炊飯器本体側にロック機構を設けるものとして、図９に示されるものが知られている。このロック機構１は炊飯器本体側に設けられ、押圧部材２及びスプリング３を有し、該押圧部材２をスプリング３の力に抗して下方へ押圧すると、押圧部材２の先端部４と蓋体５の係合突起６との係合が解除され、蓋体５は図示しないヒンジ機構のばね力により開蓋するように構成されている（例えば、特許文献１参照）。
【０００５】
上記従来のロック機構１は、１部材の押圧部材２からなり、部品点数が少ないという利点がある反面、押圧部材２に力が加わるとほぼ同時に開蓋する構造であるため、例えば、誤って押圧部材２に触れた場合、蓋体５が意に反して開蓋するという問題を有している。
【０００６】
また、従来のものは、押圧部材２の先端が外方に突き出ているため、手及び物が当たりやすく、また、押圧部材２の先端が外方に突き出ていることによりスッキリ感に欠けるという問題も有している。
【先行技術文献】
【特許文献】
【０００７】
【特許文献１】特開２００４−３３７５０５号公報
【発明の概要】
【発明が解決しようとする課題】
【０００８】
本発明の目的は、例え押圧部材の押圧部に誤って触れたとしても、蓋体が意に反して開蓋しないようにするとともに、できるだけ外方への突き出しをなくしてスッキリ感を向上することができる炊飯器を提供することである。
【課題を解決するための手段】
【０００９】
前記目的を達成するため、本発明は以下の構成を採用する。
【００１０】
請求項１に係る発明では、炊飯器本体と、前記炊飯器本体の上方に位置する蓋体と、前記炊飯器本体と前記蓋体との係合及び解除を行うロック機構と、前記炊飯器本体と前記蓋体との係合が解除されると前記蓋体を開蓋するヒンジ機構と、を有する炊飯器であって、前記ロック機構は、前記炊飯器本体に設けられるとともに、押圧部を有する押圧部材及び前記蓋体と係合する係止部を有するロック部材を有し、前記押圧部材は、水平方向に移動し、所定距離移動後、前記ロック部材に当接し、当接後、前記ロック部材と共に回動し、前記炊飯器本体と前記蓋体との係合を解除する構成。
【００１４】
そしてこれらの構成により、例え押圧部材の押圧部に誤って触れたとしても、蓋体が意に反して開蓋しないようになり、更に、スッキリ感が向上する。
【発明の効果】
【００１５】
請求項１に係る発明は、押圧部材及びロック部材を有するロック機構を、炊飯器本体側に設け、押圧部材を所定距離水平方向に移動後、ロック部材を回動して炊飯器本体と蓋体との係合を解除することにより、例え押圧部材の押圧部に誤って触れたとしても、蓋体が意に反して開蓋しないようにすることができるとともに、できるだけ外方への突き出しをなくすことができ、スッキリ感を向上することができる。
また、押圧部材をロック部材と共に回動することにより、全体の構成を簡素化できるとともに、蓋体の解除をより確実に行うことができる。
【００１７】
また、押圧部材を複数箇所でロック部材と当接し、ロック部材を回動することにより、押圧箇所近傍にロック部材との当接箇所を位置させることができるようになり、押圧部材のどの部分を押してもロック部材を適正に回動することができるようになる。
【００１８】
また、押圧部材の押圧部を炊飯器本体の外周と略面一にすることにより、炊飯器全体のスッキリ感を向上させることができる。
【図面の簡単な説明】
【００１９】
【図１】炊飯器の全体断面図
【図２】図１のロック機構近傍の拡大断面図
【図３】組立前の押圧部材とロック部材とを正面から見た斜視図
【図４】組立前の押圧部材とロック部材とを裏側から見た斜視図
【図５】組立後の押圧部材とロック部材とを正面から見た斜視図
【図６】組立後の押圧部材とロック部材とを裏側から見た斜視図（スプリングも示す）
【図７】押圧部材とロック部材との組立説明図（Ａは組立直前の図、Ｂは組立中の図、Ｃは組立後の図）
【図８】押圧部材とロック部材との動作説明図（Ａは押圧直前の図、Ｂは押圧中の押圧部材とロック部材との当接図、Ｃは蓋体開蓋時の図）
【図９】従来のロック機構近傍の拡大断面図
【実施例】
【００２０】
図１は炊飯器の全体縦断面図を示し、図２はロック機構近傍の拡大断面図を示し、図３ないし図６は押圧部材とロック部材との組立前と組立後の斜視図を示し、図７は押圧部材とロック部材との組立説明図を示し、図８は押圧部材とロック部材との動作説明図を示す。なお、炊飯器２０のヒンジ機構５０側を後方側とし、ヒンジ機構５０の反対側を前方側とし、前後方向に直交する側を左右側とする。
【００２１】
炊飯器２０は、炊飯器本体２１及び蓋体４０等からなる。炊飯器本体２１は、外殻を形成する金属製の外ケース２２を有し、この外ケース２２の内部には、保護枠である内ケース２４が設けられるとともに、この内ケース２４内には、金属鍋或いは土鍋等の内鍋２３が着脱自在に収納される。また、前記外ケース２２の前方側には、後記のロック機構６０の押圧部６１が嵌入される矩形状開口２２ａが設けられる。
【００２２】
前記内ケース２４は、例えばポリエチレンテレフタレート等の耐熱性の合成樹脂製のもので、その底部中央にはサーミスタからなるセンターセンサ２５を臨ませるためのセンサ挿入孔が設けられる。
【００２３】
内ケース２４の上端は、肩部材２６を介して外ケース２２の上端と一体的に結合される。また、肩部材２６の前方側で、且つ内ケース２４との結合部近傍には、図２に示すように、下方に一体に垂下される形態でスプリング受部２６ａが設けられており、後記のコイルスプリング６３の端部が当接される。
【００２４】
肩部材２６の前方側の水平な上壁の裏面には、図２及び図５に一点鎖線で概略的に示すように、下方に一体に垂下される形態で２つの細長矩形状平板２６ｂが設けられる。これら２つの細長矩形状平板２６ｂは、お互い短辺が前後方向に向かい、且つお互い平行に設けられるとともに、それらの長辺は上下方向に垂下し、それら長辺方向の下端部近傍にはそれぞれ軸受口２６ｃが対向する形態で設けられ、後記のロック機構６０の軸８１を支持する。
【００２５】
前記内ケース２４の底部外面及び底部から側部にかけての湾曲部外面には、内鍋２３を誘導加熱する底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。
【００２６】
これら底部ワークコイル２７及び側部ワークコイル２８の外側には合成樹脂製のコイル支持台２９が設けられており、このコイル支持台２９がネジ等で内ケース２４に取り付けられることにより、底部ワークコイル２７及び側部ワークコイル２８は図示する所定位置に位置決め固定される。また、内ケース２４の上部の外周側部には、保温ヒータ３０が設けられる。
【００２７】
前記外ケース２２の下端部には、皿状の底部材３１がビス等で取り付けられ、外ケース２２と底部材３１とで上方が開口した容器を形成する。外ケース２２の後方の内部には、肩部材２６から垂下する形態で、制御基板３２が設けられる。
【００２８】
この制御基板３２には、底部ワークコイル２７、側部ワークコイル２８、保温ヒータ３０及び蓋ヒータ４５を制御するためのマイコン及び電源回路等の電気部品が搭載される。それら電気部品のなかには発熱するものがあるため、制御基板３２の近傍には発熱素子等を冷却するための冷却フィン３３と、冷却フィン３３の熱を放熱するための冷却ファン３４が設けられる。なお、制御基板３２の後方側にはコード巻取器３５が設けられる。
【００２９】
また、前記外ケース２２の前方側には、後記する押圧部材６１及びロック部材６２を有するロック機構６０が設けられ、押圧部材６１の押圧部６７を水平に押すことにより、蓋体４０を開蓋する。
【００３０】
前記蓋体４０は、外枠４１及び内枠４２を有する。外枠４１は外周面を形成する樹脂製の部材であり、その中央には調圧ユニット４３が設けられる。内枠４２は、外枠４１と同様に樹脂製の略リング状の部材であり、その中央部には金属製の放熱板４４が取り付けられる。そして、放熱板４４の上面には蓋ヒータ４５が設けられ、内鍋２３を上方から加熱する。また、内枠４２の前方側には、後記のロック機構６０の係止爪８２ａと係合可能な係止突起４２ａが設けられる。
【００３１】
前記調圧ユニット４３は、内部に蒸気通路４６及び蒸気弁４７を有し、内部の蒸気圧を調圧するとともに、余分の蒸気を蒸気口４８より外部に放出する。また、放熱板４４の下方には着脱自在に内蓋４９が取り付けられる。
【００３２】
前記蓋体４０の後方側には、蓋体４０と肩部材２６とにかけてヒンジ機構５０が設けられる。このヒンジ機構５０は、蓋体４０に常時開方向の力を付与するバネ５１等を有し、ロック機構６０が蓋体４０との係合を解除すると、蓋体４０はバネ５１の力により開蓋する。
【００３３】
蓋体４０の外枠４１の前方側の上面には、平面視略矩形状の凹溝部５２が形成され、この凹溝部５２内に操作部５３が収納される。操作部５３内には、液晶パネル５４及び各種スイッチボタン５５等が搭載される操作基板５６が収納されるとともに、密封されており、蒸気及びおねば等が内部に浸入するのを防止する。
【００３４】
前記各種スイッチボタン５５は、例えば炊飯スイッチ、保温スイッチ、白米、早炊き、無洗米等の各種メニューを設定するメニュースイッチ、時間を設定するタイマースイッチ及び設定を取り消す取消しスイッチ等を有し、炊飯スイッチがオンされると底部ワークコイル２７及び側部ワークコイル２８により誘起される渦電流に起因したジュール熱により内鍋２３が加熱する。
【００３５】
ロック機構６０について説明する。ロック機構６０は、押圧部材６１及びロック部材６２及びコイルスプリング６３を有する。そして、前記押圧部材６１は、本体部６５及び軸支持部６６を有する。
【００３６】
前記押圧部材６１の本体部６５は、前方（ヒンジ機構５０と反対側）に向く面に押圧部６７を有し、左右方向（前後方向に直交する方向）に向く面にそれぞれ側壁６８を有し、上方に向く面に上壁６９を有し、下方及び後方が開放した正面視（前方から後方を見ること）矩形状の樹脂製部材である。
【００３７】
この押圧部６７は、本体部６５の前方に形成される矩形環状の段差部６７ａより、さらに前方へ突き出る形態で形成される正面視矩形状の部分で、外ケース２２に設けられる正面視矩形状の開口２２ａ（図２、８参照）より若干小さく、且つ該矩形状開口２２ａより若干突き出る形態で取り付けられる。押圧部６７より段差部６７ａまでの前後方向の長さは、外ケース２２の厚さより若干大きい程度であり、押圧部材６１が取り付けられると、段差部６７ａは外ケース２２の内面に当接し、押圧部６７の面は矩形状開口２２ａに入り込む。そして、押圧部６７の前面は外ケース２２の外周面とほぼ面一になり、全体にスッキリ感を与える。
【００３８】
また押圧部６７の外周端全周には、前方に若干突き出た矩形環状の突出部６７ｂを有しており、この突出部６７ｂを設けることにより、例え押圧部６７の外周端部を押したとしても指がかかるため、押圧部６７の押圧をより確実に行うことができる。
【００３９】
この押圧部６７の裏面には、図４に示すように、押圧部内部空間７０を有するとともに、この押圧部内部空間７０には、その外周部近傍に４本の円柱状ボス７１が形成され、その中央部にスプリング受部７０ａが形成される。４本の円柱状ボス７１を外周端部近傍に配置することにより、例え押圧部６７の外周端部を押圧し押圧部６７が傾いたとしても押圧箇所近傍の円柱状ボス７１がロック部材６２に当接しロック部材６２の回動をより確実に行うことができるようになる。
【００４０】
また、４本のうち、上２本は下２本より若干長くされており、このような形態により、押圧部材６１がロック部材６２の係止爪８２ａにより近い箇所を押すことができるようになり、ロック部材６２の回動並びにロック部材６２の係止爪８２ａによる係合の解除を良好に行うことができるようになる。なお、円柱状ボス７１は４本に限らず１本でも複数本でもよい。また、ボスではなく平板状の部分であってもよい。
【００４１】
前記上壁６９の中央部には、後方開放の平面視コ字状の上下貫通孔７２が設けられるとともに、その後方端には縦断面大括弧状のロック部材回動規制部材７３が左右方向に跨ぐ形態で橋渡しされており、その前方側面７３ａにロック部材６２が当接され、ロック部材６２の後方側へのさらなる回動を規制する。
【００４２】
前記軸支持部６６は、平行領域部７５ａ及び半円弧領域部７５ｂからなる全体として後方開放の横向きＵ字状の軸挿通孔７５を有する。平行領域部７５ａは後方が開口した平行な領域で、半円弧領域部７５ｂは前方に円弧部を有し、後方が半円弧領域部７５ｂに連通する領域であり、挿入されるロック部材６２の軸８１を支持する。
【００４３】
また、軸支持部６６には、抜け止め用爪７６及び複数のリブ７７が形成される。抜け止め用爪７６は、断面直角三角形状で、軸支持部６６の後方端で且つ左右方向の中央に前後方向に向かって設けられている。この抜け止め用爪７６は、前方側に垂直部７６ａを有し、後方側に傾斜部７６ｂを有する形態で設けられ、ロック部材６２の軸８１が入りやすく、且つ抜けにくい、即ち多少の力では抜けないようにされている。また、複数のリブ７７は軸支持部６６の補強用のもので前後方向に且つ平行に軸挿通孔７５の下方に設けられる。
【００４４】
前記ロック部材６２は、本体部８０、軸８１及び係止部８２を有する樹脂製の部材である。そして、前記本体部８０は、その前方側の面８０ａの左右方向の外端部に設けられ、前記押圧部材６１の円柱状ボス７１が当接する４個のボス当接部８０ｂと、その中央の若干上方に設けられ、前記コイルスプリング６３が挿入するスプリング挿通孔８０ｃを有するとともに、その前方側の面８０ａと反対側の面には、薄肉部８０ｄ及び格子リブ８０ｅが形成され、ロック部材６２の軽量化と補強を行っている。
【００４５】
前記軸８１は、本体部８０の下方に、本体部８０の左右方向の端部より更に左右方向に突き出る形態で一体に形成されるとともに、その先端には軸８１の径より小径の嵌合用軸部８１ａを有している。そして、軸８１は、押圧部材６１の軸挿通孔７５に挿入され、嵌合用軸部８１ａは、肩部材２６から垂下する２個の細長矩形状平板２６ｂ（図５参照）の下端の軸受口２６ｃに嵌合され軸支される。
【００４６】
前記係止部８２は、本体部８０より上方へ突き出る本体部８０より幅狭で上下方向に細長い略矩形状の部分であり、その上端には、前方に向かって突き出る係止爪８２ａが設けられるとともに、係止爪８２ａが突き出る方向とは反対の面である後方面には、押圧部材６１のロック部材回動規制部材７３の前方側面７３ａが当接する当接部８２ｂ（図４参照）が形成される。そして、係止爪８２ａは、内枠４２の係止突起４２ａと係合し、蓋体４０を閉蓋する。
【００４７】
図７に基づきロック機構６０の組立について説明する。なお、既に説明し図７（Ａ）にも示すように、図７の左方向を前方側、右方向を後方側とする。まず、押圧部材６１を立てて、その後方にロック部材６２を斜めに置く。その場合、ロック部材６２の係止爪８２ａが前方を向くようにする。そして、係止爪８２ａを上下貫通孔７２内に斜め方向から挿入し、矢印（１）で示すようにロック部材６２を斜め上方に押し上げられなくなるまで押し上げる。すると図７（Ｂ）のようになる。
【００４８】
次いで、ロック部材６２の下端部の軸８１近傍の後方側に指を当て、図７（Ｂ）で矢印（２）で示すように、軸８１を前方側へ押す。すると、軸８１の前方側が抜け止め用爪７６の後方側の傾斜部７６ｂに当接する。かまわず更に力を入れて軸８１を押す。すると、軸８１は抜け止め用爪７６の傾斜部７６ｂを乗り越え、抜け止め用爪７６の垂直部７６ａの前方側の軸挿通孔７５内に入り込み、図７（Ｃ）の状態になる。
【００４９】
図７（Ｃ）の状態になると、多少の力を軸８１を押し込んだ方向と反対側に加えても軸８１は抜け止め用爪７６の垂直部７６ａを乗り越えることはできない。しかし、より強い力を加えると軸８１は抜け止め用爪７６の垂直部７６ａを乗り越えるため、ロック部材６２を押圧部材６１から取り外すことができる。
【００５０】
その後、ロック部材６２のスプリング挿通孔８０ｃに後方から前方に向かってコイルスプリング６３を挿入し、その前方端を押圧部材６１のスプリング受部７０ａに嵌合してロック機構６０を完成させる。
【００５１】
次に、このロック機構６０の軸８１の先端の嵌合用軸部８１ａを肩部材２６から垂下する細長矩形状平板２６ｂの下端の軸受口２６ｃ内に嵌合する。その嵌合は、細長矩形状平板２６ｂの下端を左右方向に押し広げ、嵌合用軸部８１ａを軸受口２６ｃ内に押し込むことにより行われる。そして、取り外す場合は逆の動作で行うことになる。
【００５２】
そして、押圧部材６１の押圧部６７を、外ケース２２の矩形状開口２２ａに後方側から挿入し、更に、コイルスプリング６３の後方端を肩部材２６のスプリング受部２６ａに当接することにより、このロック機構６０を炊飯器本体２１内に組み込む。
【００５３】
ロック機構６０の動作について図８に基づいて説明する。図８（Ａ）は、ロック機構６０を炊飯器本体２１内にセットし、ロック機構６０の係止爪８２ａと内枠４２の係止突起４２ａが係合状態にある蓋体４０の閉蓋時を示す。この場合、ロック部材６２の下方の軸８１は、細長矩形状平板２６ｂの軸受口２６ｃに回動のみ可能な形態で支持され、ロック部材６２の上方の係止爪８２ａは、内枠４２の係止突起４２ａと係合しており、ロック部材６２は、全体がほぼ垂直な状態にある。
【００５４】
また、押圧部材６１は、コイルスプリング６３により前方側に押され、その段差部６７ａは、外ケース２２の矩形状開口２２ａ近傍の内面に当接するとともに、押圧部６７は、矩形状開口２２ａ内に挿入する。この状態では、押圧部材６１とロック部材６２とは、隙間Ｒだけ前後方向に離れて位置している。なお、隙間Ｒは例えば２〜５ｍｍの範囲が好ましい。あまり短いと従来の１個のものとの差がなくなり、あまり長いと適正な開蓋機能が奏されなくなる。
【００５５】
開蓋時、図８（Ａ）で示すように、押圧部６７に矢印（３）方向に水平に力を加える。すると、押圧部材６１は、隙間Ｒの距離、単独でほぼ水平の状態でコイルスプリング６３の力に抗して後方側に移動する。そして、押圧部材６１の４本のボス７１の先端がロック部材６２の４個のボス当接部８０ｂに当接する。即ち、押圧部材６１は所定距離（隙間Ｒ）移動後にロック部材６２と当接する。
【００５６】
ボス７１の移動と共に、押圧部材６１の下端の軸挿通孔７５も後方側へ移動し、軸挿通孔７５の半円弧領域部７５ｂはロック部材６２の軸８１の前方側の外周面に当接する。ロック部材６２の軸８１の動きは回動のみであるため、軸８１に半円弧領域部７５ｂが当接すると、この半円弧領域部７５ｂもそれ以上の後方側への移動は阻止される。ただし、半円弧領域部７５ｂは固定されていないため回動は可能である。
【００５７】
前記４本のボス７１のうち、上２本のボス７１の長さが下２本のものより若干長いため、上２個のボス当接部８０ｂに早く当接する。その結果、４本のボス７１が４個のボス当接部８０ｂに当接した状態では、ロック部材６２は若干後方側へ傾いた状態になり、以後の回動動作を良好にする。その状態を図８（Ｂ）に示す。なお、４本のボス７１は同じ長さでもよい。
【００５８】
次いで、図８（Ｂ）で矢印（４）に示すように、更に力を加える。ロック部材６２は軸８１を支持されるとともに、半円弧領域部７５ｂも軸８１に当接しているため、ロック部材６２と押圧部材６１とは、図８（Ｃ）に示すように、軸８１の嵌合用軸部８１ａを中心にして共に回動することになり、矢印（４）方向の力は必然的に矢印（５）方向の力になる。
【００５９】
そして、ロック部材６２が回動すると、ロック部材６２の係止爪８２ａと内枠４２の係止突起４２ａとの係合が解除され、蓋体４０は開蓋する。その後、押圧部６７から指を離すと、押圧部材６１はコイルスプリング６３の力により、図８（Ａ）の位置に戻るとともに、押圧部材６１が戻る際、押圧部材６１のロック部材回動規制部材７３の前方側面７３ａが、ロック部材６２の後方側の当接部８２ｂに当接することにより、ロック部材６２も押圧部材６１との間に隙間Ｒを有する図８（Ａ）の位置に戻される。その後、蓋体４０を閉蓋すると、ロック部材６２は若干後方側へ押圧部材６１と共に回動した後戻り、図８（Ａ）の状態になる。
【００６０】
なお、前記ロック機構６０は、下方から軸８１、コイルスプリング６３及び係止爪８２ａの順に配置されており、押圧部材６１が平行移動でより戻りやすくされている。また、前記ロック機構６０の長い方の２本のボス７１の位置は、軸８１と係止爪８２ａのほぼ中間に設けられており、係合が解除する距離と押圧力を適正なものとし、全体の操作感を向上させている。
【００６１】
本発明は、前記実施例の構成に限定されるものではなく、発明の要旨を逸脱しない範囲において適宜設計変更可能であり、例えば、加熱手段はヒータでもよく、内鍋も金属製等、どのような材質のものでもよく、押圧部もどのような形状でもよい。
【符号の説明】
【００６２】
２０…炊飯器                  ２１…炊飯器本体
２２…外ケース                ２２ａ…矩形状開口
２３…内鍋                    ２４…内ケース
２５…センターセンサ          ２６…肩部材
２６ａ…スプリング受部        ２６ｂ…細長矩形状平板
２６ｃ…軸受口                ２７…底部ワークコイル
２８…側部ワークコイル        ２９…コイル支持台
３０…保温ヒータ              ３１…底部材
３２…制御基板                ３３…冷却フィン
３４…冷却ファン              ３５…コード巻取器
４０…蓋体                    ４１…外枠
４２…内枠                    ４２ａ…係止突起
４３…調圧ユニット            ４４…放熱板
４５…蓋ヒータ                ４６…蒸気通路
４７…蒸気弁                  ４８…蒸気口
４９…内蓋                    ５０…ヒンジ機構
５１…バネ                    ５２…凹溝部
５３…操作部                  ５４…液晶パネル
５５…スイッチボタン          ５６…操作基板
６０…ロック機構              ６１…押圧部材
６２…ロック部材              ６３…コイルスプリング
６５…本体部                  ６６…軸支持部
６７…押圧部                  ６７ａ…段差部
６７ｂ…突出部                ６８…側壁
６９…上壁                    ７０…押圧部内部空間
７０ａ…スプリング受部        ７１…円柱状ボス
７２…上下貫通孔              ７３…ロック部材回動規制部材
７３ａ…前方側面              ７５…軸挿通孔
７５ａ…平行領域部            ７５ｂ…半円弧領域部
７６…抜け止め用爪            ７７…リブ
８０…本体部                  ８０ａ…前方側面
８０ｂ…ボス当接部            ８０ｃ…スプリング挿通孔
８０ｄ…薄肉部                ８０ｅ…格子リブ
８１…軸                      ８１ａ…嵌合用軸部
８２…係止部                  ８２ａ…係止爪
８２ｂ…当接部
【図１】
0005471671.tif 000002
【図２】
0005471671.tif 000003
【図３】
0005471671.tif 000004
【図４】
0005471671.tif 000005
【図５】
0005471671.tif 000006
【図６】
0005471671.tif 000007
【図７】
0005471671.tif 000008
【図８】
0005471671.tif 000009
【図９】
0005471671.tif 000010